(57)【要約】【課題】電気コネクタの後方部分の電磁波を遮断するためのシールドを備え、小型、薄型であって、シールド強化が図れたバックフリップ式の電気コネクタを提供する。【解決手段】アクチュエータを後方に倒し、信号コンタクトと板状の接続対象物の接触部とが接触するとき、アクチュエータが有する導体部材によって、基板の接続部と接続する信号コンタクトの端子部を覆う。【選択図】図１
2014225412.tif 000002
【特許請求の範囲】
【請求項１】
板状の接続対象物と基板との間を接続する電気コネクタにおいて、
前記接続対象物を挿入する開口が設けられた側を前方と呼び、前記開口の反対側を後方と呼ぶものとするとき、
前記接続対象物に設けられた接触部に接触するための接点、及び、前記基板に設けられた接続部と接続するための端子部を有する信号コンタクトと、
前記信号コンタクトを保持するハウジングと、
前記ハウジングの少なくとも一部を覆うシールドシェルと、
前記開口がなす平面、前記ハウジング、及び前記シールドシェルにより少なくとも一部が囲まれた空間である挿入部と、
導体部材の少なくとも一部を絶縁体にて覆う構造を有するアクチュエータであって、前記アクチュエータが前記後方に倒されたとき、前記開口を介して前記挿入部に挿入された前記接続対象物の前記接触部に対して、前記信号コンタクトの前記接点を押し当てるように作用するアクチュエータとを備え、
前記アクチュエータを前記後方に倒し、前記信号コンタクトの前記接点と前記接続対象物の接触部とが接触するとき、前記ハウジングの前記後方であって、前記基板の前記接続部と前記信号コンタクトの前記端子部とが互いに接続する位置を前記導体部材が覆う
ことを特徴とする電気コネクタ。
【請求項２】
前記電気コネクタは前記基板に表面実装されるものであり、
前記アクチュエータを前記後方に倒したとき、前記信号コンタクトの前記端子部と、前記基板上の配線パターンとの接続位置が、前記アクチュエータの下に位置する
ことを特徴とする請求項１に記載の電気コネクタ。
【請求項３】
前記導体部材は前記絶縁体から突出するアクチュエータ端子を有し、
前記シールドシェルは、前記アクチュエータが起立した状態にあるとき前記アクチュエータ端子と非接触であり、前記アクチュエータが後方に倒れた状態にあるとき前記アクチュエータ端子と接触するアクチュエータ端子用接触部を備える、
ことを特徴とする請求項１及び２のいずれかに記載の電気コネクタ。
【請求項４】
前記導体部材は略Ｌ字型の断面を有し、前記アクチュエータの幅方向に沿って延びるビーム状であることを特徴とする請求項１乃至請求項３のいずれかに記載の電気コネクタ。
【請求項５】
前記導体部材は略円弧状の断面を有し、前記アクチュエータの幅方向に沿って延びるビーム状であることを特徴とする請求項１乃至請求項３のいずれかに記載の電気コネクタ。
【請求項６】
前記アクチュエータが起立した状態にあるとき、前記アクチュエータの断面は前記後方に突出する凸部を有し、
前記凸部の少なくとも一部は前記導体部材を覆う
ことを特徴とする請求項１乃至請求項５のいずれかに記載の電気コネクタ。
【請求項７】
前記シールドシェルは挿入された前記接続対象物の一面に対して略平行な面と、当該面に対して略垂直な面との少なくとも一部を覆うことを特徴とする請求項１乃至請求項６のいずれかに記載の電気コネクタ。
【請求項８】
前記シールドシェルは前記基板の接地接続部と接続するための接地端子を備えることを特徴とする請求項７に記載の電気コネクタ。
【請求項９】
前記接続対象物は、基体層の一方の面に、前記信号線を並べた信号層、及び、絶縁体からなる絶縁層を積層し、前記基体層の他方の面に、導体からなるシールド層、及び、絶縁体からなる絶縁層を積層した構造を有し、
前記シールド層の一部は前記絶縁層から露出し、
挿入された前記接続対象物の前記シールド層側の面を押す方向に力を発生して、露出した前記シールド層に接触するためのグランド用バネを、前記挿入部の内部に備え、
前記接続対象物が挿入されて、前記アクチュエータが前記後方に倒されると、前記シールド層、前記グランド用バネ、前記接地端子を介して電気的に接続する経路が形成される
ことを特徴とする、請求項１乃至請求項８のいずれかに記載の電気コネクタ。
【請求項１０】
前記接続対象物の一方の面を第１の面とし、他方の面を第２の面と呼ぶとき、
挿入された前記接続対象物の前記第１の面を押す方向に力を発生する前記グランド用バネである第１グランドバネと、前記第２の面を押す方向に力を発生する前記グランド用バネである第２グランドバネとを備え、
前記第１の面は前記シールド層側であり、前記第２の面は前記信号層側であるように前記接続対象物が挿入されたとき、前記シールド層、前記第１グランドバネ、及び、前記接地端子を介して電気的に接続される経路が形成され、
前記第１の面は前記信号層側であり、前記第２の面は前記シールド層側であるように前記接続対象物が挿入されたとき、前記シールド層、前記第２グランドバネ、及び、前記接地端子を介して電気的に接続される経路が形成される
ことを特徴とする請求項９に記載の電気コネクタ。
【発明の詳細な説明】
【技術分野】
【０００１】
本発明は、FPC (Flexible Printed Circuit、フレキシブル印刷回路)、FFC (Flexible Flat Cable、フレキシブルフラットケーブル)等の、平板状の導体からなる導線を被膜した平型ケーブルと接続する電気コネクタに関し、特に、プリント基板に表面実装される電気コネクタであって、所謂バックフリップ式の電気コネクタに関する。
【背景技術】
【０００２】
携帯電話機、スマートフォン、タブレット等の携帯電子機器では、取り扱い性の向上等の理由により、小型化、薄型化が常に求められており、こうした機器に内蔵される電気コネクタ（以下単にコネクタとも記す）にも、必然的に小型化、薄型化が求められている。
【０００３】
機器の薄型化に有利なタイプのコネクタとして、所謂バックフリップ式のコネクタがある。この種のコネクタは、ケーブルを挿入するための開口の背後にあたる位置にアクチュエータと呼ばれるレバーを備える。以後、本明細書において、ケーブルを挿入するための開口を有する側を電気コネクタの前、前方とし、その反対側を電気コネクタの後ろ、後方とする。
【０００４】
通常、バックフリップ式コネクタでは、開口に挿入したケーブルとの間に電気的な接続を確立する際には、アクチュエータを後ろに倒してコネクタ内のコンタクトをケーブルの導体に押し当てる一方、装着したケーブルを外す際にはアクチュエータを引き起こしてコンタクトを導体から離す。このように、ケーブル装着時にアクチュエータを倒した状態にすることで、装着時のコネクタを低背化することができる。
【０００５】
一方で、スマートフォン等の電子機器に搭載されるプロセッサは年々高速化している。このため、電子機器内の配線や電気コネクタにおいてより高速な信号伝送を行なうようになっている。伝送速度の高速化に伴い、今までは問題にならなかった比較的低レベルのノイズ電磁波についても対策が求められている。
【０００６】
例えば、コネクタをプリント基板に表面実装する場合、コネクタの端子とプリント基板上の信号配線パターンとが接触する必要があるが、この接触部分において電磁波が発生する場合がある。こうした電磁波をコネクタ外部に漏らさないようにするには、グランドに接続した導体層、即ち、シールドにてコネクタの全体を覆うことが考えられる。
【０００７】
ここで、バックフリップ式コネクタの全体をシールドにて覆うことを考えると、コネクタの前方及び側方については、比較的容易にシールドで覆うことができる。しかし、後方については様々な問題があるため簡単にシールドを設けることができない。
【０００８】
ひとつには、後方に倒した状態にあるアクチュエータの更に後方を覆うようなシールドシェルを配置することが考えられる。このようなシールドシェルを設ければ、コネクタとプリント基板との接点から、コネクタ後方に向かう電磁波を遮断することができる。しかし、このようなシールドシェルを設けることはコネクタの大型化を招く恐れがある。
【０００９】
また、アクチュエータの直下にノイズ源となる接点が存在する場合、ここから真上に進む電磁波を遮断することを考える必要がある。このとき、起立した状態のアクチュエータをも覆うような背の高いシールドを備えるコネクタとすることがひとつには考えられる。しかし、この場合はコネクタ全体の高背化を招いてしまう。
【００１０】
別案としては、ケーブルを装着する前の時点では、この方向に進む電磁波に対応するシールドを設けないこととし、アクチュエータを倒してケーブルを装着した後で、倒したアクチュエータの上を覆うようにシールドを後付で設置する作業を行なうことが考えられる。この場合には、コネクタの高背化を回避することはできるものの、コネクタの実装作業が困難になるだろう。
【００１１】
特許文献１には、本発明に関連した表面実装型のコネクタについて記載されている。同文献に記載されているのは基本的にはいわゆるフロントフリップ式のコネクタである。同文献には、平型ケーブルのシールド層を含む経路を介し、シールド経路を形成して、アクチュエータに設けたシールド板にシールド効果を発生させる電気コネクタが記載されている。図３２に示すように、同文献では、電気コネクタ後方に向かって進む電磁波については、「導電性材料からなる板材を打ち抜き形成したもので、ハウジング１１（図３２にいうハウジング１０１）の後端側において、上面、両側面及び後面の一部を覆う」（第００２１段落）シールドシェル１０２を設けることにより対応している。
【先行技術文献】
【特許文献】
【００１２】
【特許文献１】特許第４８３７７１１号公報
【発明の概要】
【発明が解決しようとする課題】
【００１３】
本発明はこのような状況に鑑みてなされたものであり、本発明が解決しようとする課題は、電気コネクタ後方部分の電磁波を遮断するためのシールドを備えつつも、小型、薄型であって、かつ、基板に実装した後で後方を覆う別体のシールドシェルを追加する必要がないバックフリップ式の電気コネクタを提供することである。
【課題を解決するための手段】
【００１４】
上述の課題を解決するため、本発明は、その一態様として、板状の接続対象物と基板との間を接続する電気コネクタにおいて、接続対象物を挿入する開口が設けられた側を前方と呼び、開口の反対側を後方と呼ぶものとするとき、接続対象物に設けられた接触部に接触するための接点、及び、基板に設けられた接続部と接続するための端子部を有する信号コンタクトと、信号コンタクトを保持するハウジングと、ハウジングの少なくとも一部を覆うシールドシェルと、開口がなす平面、ハウジング、及びシールドシェルにより少なくとも一部が囲まれた空間である挿入部と、導体部材の少なくとも一部を絶縁体にて覆う構造を有するアクチュエータであって、アクチュエータが後方に倒されたとき、開口を介して挿入部に挿入された接続対象物の接触部に対して、信号コンタクトの接点を押し当てるように作用するアクチュエータとを備え、アクチュエータを後方に倒し、信号コンタクトの前記接点と接続対象物の接触部とが接触するとき、ハウジングの後方であって、基板の接続部と信号コンタクトの端子部とが互いに接続する位置を導体部材が覆うことを特徴とする電気コネクタを提供する。
【００１５】
本発明の電気コネクタは典型的には基板に表面実装され、アクチュエータを後方に倒したとき、信号コンタクトの端子部と、基板上の配線パターンとの接続位置が、アクチュエータの下に位置することが好ましい。
【００１６】
導体部材は絶縁体から突出するアクチュエータ端子を有することとし、シールドシェルは、アクチュエータが起立した状態にあるときアクチュエータ端子と非接触であり、アクチュエータが後方に倒れた状態にあるときアクチュエータ端子と接触するアクチュエータ端子用接触部を備えることが好ましい。このような構造を有することにより、導体部材は、アクチュエータ端子及びアクチュエータ端子用接触部を介して、シールドシェルと電気的に接続するための経路が確立される。
【００１７】
導体部材の形状としては、例えば、導体部材は略Ｌ字型の断面を有し、アクチュエータの幅方向に沿って延びるビーム状であることが考えられる。
【００１８】
導体部材の他の形状として、導体部材は略円弧状の断面を有し、アクチュエータの幅方向に沿って延びるビーム状であることが考えられる。
【００１９】
アクチュエータが起立した状態にあるとき、アクチュエータの断面は後方に突出する凸部を有し、凸部の少なくとも一部は導体部材を覆うことが好ましい。このような構造とすれば、アクチュエータを倒すと、凸部は電気コネクタの下方向、即ち、電気コネクタを実装した基板に向かって延びることになる。これにより、凸部に覆われた導体部材も基板に近づくことになるので、シールドの効果を高めることができる。
【００２０】
シールドシェルは挿入された接続対象物の一面に対して略平行な面と、当該面に対して略垂直な面との少なくとも一部を覆うことが好ましい。この場合、シールドシェルは基板の接地接続部と接続するための接地端子を備えることが好ましい。この接地端子としてホールドダウンを用いることが考えられる。
【００２１】
接続対象物は、基体層の一方の面に、信号線を並べた信号層、及び、絶縁体からなる絶縁層を積層し、基体層の他方の面に、導体からなるシールド層、及び、絶縁体からなる絶縁層を積層した構造を有し、シールド層の一部は絶縁層から露出し、挿入された接続対象物のシールド層側の面を押す方向に力を発生して、露出したシールド層に接触するためのグランド用バネを、挿入部の内部に備えることが好ましい。接続対象物が挿入されて、アクチュエータが後方に倒されると、シールド層、グランド用バネ、接地端子を介して電気的に接続する経路が形成される。
【００２２】
接続対象物の一方の面を第１の面とし、他方の面を第２の面と呼ぶとき、挿入された接続対象物の第１の面を押す方向に力を発生するグランド用バネである第１グランドバネと、第２の面を押す方向に力を発生するグランド用バネである第２グランドバネとを備えることが好ましい。第１の面はシールド層側であり、第２の面は信号層側であるように接続対象物が挿入されたとき、シールド層、第１グランドバネ、及び、接地端子を介して電気的に接続される経路が形成される。第１の面は信号層側であり、第２の面はシールド層側であるように接続対象物が挿入されたとき、シールド層、第２グランドバネ、及び、接地端子を介して電気的に接続される経路が形成される。
【発明の効果】
【００２３】
本発明によれば、アクチュエータを後ろに倒すと、アクチュエータに内蔵された導体部材がシールドとして作用する。このため、電気コネクタの内部から外部に向かって進む電磁波や、外部から電気コネクタに向かって進む電磁波を遮断するために、倒したアクチュエータの周囲を囲むような別体のシールドを設ける必要はなく、電気コネクタを大型化、高背化することなく、バックフリップ式電気コネクタの後方部分のシールド効果を得ることができる。
【００２４】
また、本発明によれば、アクチュエータは絶縁体で導体部材を覆う構造を有するので、絶縁体のみで形成された一般的なアクチュエータと比較して高い強度を付与することができる。
【図面の簡単な説明】
【００２５】
【図１】本発明の一実施の形態である電気コネクタ１の斜視図である。
【図２】上から順に、電気コネクタ１の背面図、上面図、正面図、底面図である。正面図の右側は側面図である。
【図３】第１信号コンタクト１０の構造を説明するための電気コネクタ１の断面図である。なお、図の構成部品において断面を表すハッチングについては省略してある。
【図４】第２信号コンタクト２０の構造を説明するための電気コネクタ１の断面図である。なお、図の構成部品において断面を表すハッチングについては省略してある。
【図５】平型ケーブル３０の構造を説明するための断面図である。なお、図の構成部品において断面を表すハッチングについては省略してある。
【図６】信号層３２側から見た平型ケーブル３０の先端部について説明するための平面図である。
【図７】信号層３２側から見た平型ケーブル３０の先端部について説明するための斜視図である。
【図８】グランド層３４側から見た平型ケーブル３０の先端部について説明するための図である。
【図９】グランド層３４側から見た平型ケーブル３０の先端部について説明するための斜視図である。
【図１０】シールドシェル３の構造を説明するための斜視図である。
【図１１】上から順に、シールドシェル３の背面図、上面図、正面図、底面図である。正面図の右側は側面図である。
【図１２】アクチュエータ４を透過してシールド板１４を描いた電気コネクタ１の斜視図である。
【図１３】平型ケーブル３０を挿入し、透明化して描いたアクチュエータ４を倒した状態の電気コネクタ１を上から見た図であり、このときにシールド板１４と接地端子１６との間に電気的な経路が確立されることを説明するための図である。
【図１４】アクチュエータ４を透明化して描いた電気コネクタ１の正面図である。
【図１５】アクチュエータ４が起立状態にあるときのシールド板１４について説明するための、アクチュエータ４を透明に描いた、第１信号コンタクト１０の位置を断面とする電気コネクタ１の断面斜視図である。なお、図の構成部品において断面を表すハッチングについては省略してある。
【図１６】図１５の断面斜視図に対応する電気コネクタ１の断面図である。なお、図の構成部品において断面を表すハッチングについては省略してある。
【図１７】アクチュエータ４が後ろに倒れた状態にあるときのシールド板１４について説明するための、アクチュエータ４を透明に描いた、第１信号コンタクト１０の位置を断面とする電気コネクタ１、平型ケーブル３０の断面斜視図である。なお、図の構成部品において断面を表すハッチングについては省略してある。
【図１８】図１７の断面斜視図に対応する電気コネクタ１、平型ケーブル３０の断面図である。なお、図の構成部品において断面を表すハッチングについては省略してある。
【図１９】アクチュエータ端子１５とアクチュエータ端子用接触部４２の接触と、アクチュエータ４の回転との連携について説明するための電気コネクタ１の背面図であり、アクチュエータ４が起立状態にあるときの様子を表した図である。
【図２０】アクチュエータ端子１５とアクチュエータ端子用接触部４２の接触と、アクチュエータ４の回転との連携について説明するための電気コネクタ１の背面図であり、アクチュエータ４が倒れる過程にあるときの様子を表した図である。
【図２１】アクチュエータ端子１５とアクチュエータ端子用接触部４２の接触と、アクチュエータ４の回転との連携について説明するための電気コネクタ１の背面図であり、アクチュエータ４が完全に倒れたときの様子を表した図である。
【図２２】アクチュエータ４のカム回転軸６４を支持するカバー部４１について説明するための電気コネクタ１の背面斜視図である。
【図２３】アクチュエータ４が起立した状態にある電気コネクタ１の、第１グランドバネ４３ｂ、第２グランドバネ４４ｂを含む面での断面斜視図である。なお、図の構成部品において断面を表すハッチングについては省略してある。
【図２４】アクチュエータ４が起立した状態にある電気コネクタ１の、第１信号コンタクト１０を含む面での断面斜視図である。なお、図の構成部品において断面を表すハッチングについては省略してある。
【図２５】アクチュエータ４が起立した状態にある電気コネクタ１の、第２信号コンタクト２０を含む面での断面斜視図である。なお、図の構成部品において断面を表すハッチングについては省略してある。
【図２６】グランド層３４を上向きにした平型ケーブル３０を装着した状態にある電気コネクタ１の、第１グランドバネ４３ｂ、第２グランドバネ４４ｂを含む面での断面斜視図である。なお、図の構成部品において断面を表すハッチングについては省略してある。
【図２７】グランド層３４を上向きにした平型ケーブル３０を装着した状態にある電気コネクタ１の、第１信号コンタクト１０を含む面での断面斜視図である。なお、図の構成部品において断面を表すハッチングについては省略してある。
【図２８】グランド層３４を上向きにした平型ケーブル３０を装着した状態にある電気コネクタ１の、第２信号コンタクト２０を含む面での断面斜視図である。なお、図の構成部品において断面を表すハッチングについては省略してある。
【図２９】信号層３２を上向きにした平型ケーブル３０を装着した状態にある電気コネクタ１の、第１グランドバネ４３ｂ、第２グランドバネ４４ｂを含む面での断面斜視図である。なお、図の構成部品において断面を表すハッチングについては省略してある。
【図３０】信号層３２を上向きにした平型ケーブル３０を装着した状態にある電気コネクタ１の、第１信号コンタクト１０を含む面での断面斜視図である。なお、図の構成部品において断面を表すハッチングについては省略してある。
【図３１】信号層３２を上向きにした平型ケーブル３０を装着した状態にある電気コネクタ１の、第２信号コンタクト２０を含む面での断面斜視図である。なお、図の構成部品において断面を表すハッチングについては省略してある。
【図３２】特許文献1に記載の電気コネクタについて説明するための図である。
【発明を実施するための形態】
【００２６】
本発明の一実施の形態である電気コネクタ１について図１乃至図９を参照して説明する。電気コネクタ１はプリント基板（基板、図示せず）と板状の接続対象物である平型ケーブル３０を接続するための電気コネクタであり、プリント基板上に実装される。平型ケーブル３０の例としては、FPC (Flexible Printed Circuit、フレキシブル印刷回路)、FFC (Flexible Flat Cable、フレキシブルフラットケーブル)がある。
【００２７】
図１を参照すると、電気コネクタ１は、ハウジング２、シールドシェル３、アクチュエータ４を備える。アクチュエータ４の位置及び形状からわかるように電気コネクタ１は所謂バックフリップ式のコネクタである。シールドシェル３の端部には、平型ケーブル３０を挿入するための開口１００が設けられている。開口１００がなす平面と、ハウジング２、シールドシェル３により囲まれた空間を挿入部１１０と呼ぶものとする。開口１００から挿入された平型ケーブル３０の先端は挿入部１１０に収められる。図１においてアクチュエータ４は起立しており、この状態にあるときに平型ケーブル３０を電気コネクタ１の開口１００から挿入部１１０に挿入して、アクチュエータ４を図中右側に倒すように回転させると、アクチュエータ４の回転に連動して、ハウジング２に保持された信号コンタクト１０、２０が平型ケーブル３０の信号層３２に接触するように構成されている。
【００２８】
図２からわかるように、ハウジング２には複数の信号コンタクト１０、２０が一列に配置されている。信号コンタクト１０、２０はそれぞれ導体金属製のＨの字を横にした略横Ｈの字形状をした部品である。信号コンタクト１０、２０の略横Ｈの字の左右の開口部の一方は、図１において左側、即ち開口１００側を向いている。略横Ｈの字の他方の開口部は図１において右側、即ちアクチュエータ４側を向いている。本明細書において、平型ケーブル３０を挿入する開口１００側を、電気コネクタ１の前方とし、その反対側、アクチュエータ４が設けられている側の方向を電気コネクタ１の後方と呼ぶものとする。
【００２９】
図１、３、４、６に示すように、電気コネクタ１に対応する平型ケーブル３０には、電気コネクタ１の信号コンタクト１０、２０と接触する接触部３７、３８が、平型ケーブル３０の一方の面の上、平型ケーブル３０の端部から所定の長さの位置に配置されているが、この長さが２種類ある。即ち、電気コネクタ１に対応する平型ケーブル３０は、電気コネクタ１に挿入される端部に近い側に並ぶ接触部３８の列と、その列よりも端部から遠い位置に並ぶ接触部３７の列との２つの列を有する。これらの２列の接触部３７、３８列に対応して、電気コネクタ１は、２種類の信号コンタクト１０、２０を備える。
【００３０】
ひとつは図３に示す第１信号コンタクト１０である。第１信号コンタクト１０は、平型ケーブル３０においてその端部から遠い側の接触部３７列に対応する信号コンタクトである。第１信号コンタクト１０は、電気コネクタ１前方の開口１００側にある略横Ｈの字の開口部に、平型ケーブル３０の端部から遠い側の接触部３７列と接触するための接点１１ｕ、１１ｄを備える。ここで、接点１１ｕ、１１ｄというように、上下に２つの接点を設けているのは、平型ケーブル３０の挿入方向に関わらず、いずれか一方の接点が平型ケーブル３０の接触部３７に接触するためである。このことについては後述する平型ケーブル３０の構造についての説明でより明らかになるだろう。
【００３１】
第１信号コンタクト１０の略横Ｈの字の縦棒にあたる部分は、図中では左右反転した略くの字型に曲がっており、ばねとして作用する。電気コネクタ１の後方側にある略横Ｈの字の開口部は、アクチュエータ４の回転軸の一部を兼ねるカム１２を挟み込んでいる。これにより、アクチュエータ４を後方に倒していくと、カム１２が回転して第１信号コンタクト１０の後方の開口部が開く一方、前方の開口部は逆に閉じていき、接点１１ｕ、１１ｄのいずれか一方が平型ケーブル３０の接触部３７に押し当てられることとなる。尚、他方の接点については平型ケーブル３０の絶縁層３５に接触する。このことについても後述する平型ケーブル３０の構造についての説明でより明らかになるだろう。
【００３２】
第１信号コンタクト１０は、その後方にプリント基板上に設けられた接続部（図示せず）と半田付け等によって接続する端子部１３を備える。プリント基板と端子部１３の接続等により、電磁波が発生してノイズの原因となる恐れがあるが、次に説明するシールド板１４により、端子部１３から上方と後方に向かう電磁波を遮断することができる。
【００３３】
アクチュエータ４は樹脂等の絶縁材料からなる。シールド板１４は、例えばモールドインすることにより、アクチュエータ４の内部に保持されている。シールド板１４は金属板等、導電性材料からなる部材であり、図３に示すように、略断面Ｌ字型のビーム状の部材である。図３には示していないが、シールド板１４はほぼアクチュエータ４の全幅に相当する長さを有する。シールド板１４の両端にはアクチュエータ４の外に突出するアクチュエータ端子１５が設けられている。
【００３４】
詳しくは後述するが、平型ケーブル３０を挿入し、アクチュエータ４を後方に倒すと、アクチュエータ端子１５はシールドシェル３の後方に設けられたアクチュエータ端子用接触部４２と接触する。これにより、シールド板１４は、シールドシェル３、シールドシェル３に設けられたシェル端子部１６ａ、１６ｂ、１６ｃやホールドダウン１６ｄ、１６ｅ、１６ｆ、１６ｇ（以下、互いに区別する必要がない場合には総称して接地端子１６と記す）を介して、電気コネクタ１を実装したプリント基板上の接地接続部（図示せず）との間に電気的に接続する経路を確立する。その結果、シールド板１４はシールドとして機能し、端子部１３から上方及び後方に向かう電磁波を遮断することができる。
【００３５】
一方、端子部１３から前方に向かう電磁波については、シールドシェル３の天板部分、及び、平型ケーブル３０のシールド層により遮断される。端子部１３から左右方向（電気コネクタ１、平型ケーブル３０の幅方向）に向かう電磁波については、シールドシェル３の側面部分により遮断される。
【００３６】
シールド板１４が略Ｌ字型断面を有するのは、アクチュエータ４を倒したときに、端子部１３の上方の面と、電気コネクタ１の後方の面との両方を覆うためである。
【００３７】
特に、電気コネクタ１の後方の面を、電気コネクタ１の高さ方向の全域にわたって効果的にシールドするため、アクチュエータ４は凸部１７を有している。端子部１３を起点として、電気コネクタ１の天板部分から、電気コネクタ１を実装したプリント基板に接する部分までの範囲の方向に放射される電磁波、あるいは外部から電気コネクタ１に進入する電磁波を、より効果的に遮断するためには、その範囲をできるだけ広くシールド板１４で覆うことが望ましい。そのためには、シールド板１４の下端をできるだけプリント基板に近づける必要がある。凸部１７は、アクチュエータ４を後方に倒したときにシールド板１４の下端ができるだけプリント基板に近づくようにするために設けられている。当然ながら、凸部１７のできるだけ先端近くまでシールド板１４が延びていることが好ましい。
【００３８】
シールド板１４は、端子部１３から電気コネクタ１の上方及び後方に向かって放射される電磁波の遮断を目的のひとつとするため、電気コネクタ１の上方及び後方の両方を覆うような形状であればよい。ここでは、略Ｌ字型断面を有するビーム状の形状としたが、必ずしもこれに限定する必要はない。例えば、電気コネクタ１の上方から後方下部までを覆う円弧状の断面を有するビーム状としてもよい。或いは、電気コネクタ１の上方から後方下部に向かって延びる直線乃至曲線状の断面を有するビーム状であってもよい。
【００３９】
また、シールド板１４は、シールドとして電磁波を遮断する以外にも、アクチュエータ４の機械的強度を高める役割を果たしている。電気コネクタ１が実装される機器には例えば携帯電話機があるが、この種の装置では小型軽量化が常に求められており、内蔵される電気コネクタについても必然的に小型軽量化が求められている。また、搭載するセンサの数が増えることにより、電気コネクタが収容すべき信号線の数が増える傾向があるが、信号線の増加は電気コネクタの幅広化に繋がり、アクチュエータの幅広化に繋がっている。つまり、アクチュエータはより幅が広く、かつ、より小型軽量であることが望まれているが、その結果としてアクチュエータを操作する際に、アクチュエータが折れる等の機械的損傷が発生する場合や、アクチュエータが曲がってハウジングから外れてしまうといった問題が発生しやすい状況になっている。電気コネクタ１では、シールド板１４をアクチュエータ４に内蔵することにより、こうした問題が発生しにくくしている。
【００４０】
もうひとつの信号コンタクトは図４に示す第２信号コンタクト２０である。第２信号コンタクト２０は、平型ケーブル３０においてその端部から近い側の接触部３８列に対応する信号コンタクトである。第２信号コンタクト２０は、電気コネクタ１前方の開口１００側にある略横Ｈの字の開口部に、平型ケーブル３０の端部から近い側の接触部３８列と接触するための接点２１ｕ、２１ｄを備える。
【００４１】
第２信号コンタクト２０の略横Ｈの字の縦棒にあたる部分は、図中では略くの字型に曲がっており、ばねとして作用する。電気コネクタ１の後方側にある略横Ｈの字の開口部はカム１２を挟み込んでいる。これにより、アクチュエータ４を後方に倒していくと、カム１２が回転して第２信号コンタクト２０の後方の開口部が開く一方、前方の開口部は逆に閉じていき、接点２１ｕ、２１ｄの一方が平型ケーブル３０の端部から近い側の接触部３８列に、接点２１ｕ、２１ｄの他方が平型ケーブル３０の絶縁層３５に押し当てられることとなる。
【００４２】
第２信号コンタクト２０は、その前方にプリント基板上に設けられた接続部（図示せず）と半田付け等によって接続する端子部２３を備える。プリント基板と端子部２３の接続等に起因する電磁波については次のように遮断する。電気コネクタ１の前方及び上方に向かう電磁波についてはシールドシェル３の天板部分、及び、平型ケーブル３０のシールド層により遮断する。電気コネクタ１の側面方向に向かう電磁波についてはシールドシェル３の側面部分により遮断する。電気コネクタ１の後方に向かう電磁波についてはシールド板１４により遮断する。
【００４３】
次に、平型ケーブル３０の構造について説明する。図５を参照すると、平型ケーブル３０は、基材（基体層）３１の図中下側に、銅箔等からなる導体層である信号層３２を備え、その下に絶縁層３３を備える。また、基材３１の図中上側に、銅箔等からなる導体層であるグランド層（シールド層）３４を備え、その上を絶縁層３５、３６が覆っている。
【００４４】
信号層３２、グランド層３４は共に電気コネクタ１と電気的に接続するためにその一部が露出している。基材３１の図中下側では、絶縁層３３が平型ケーブル３０の先端までは覆っていないので、信号層３２の先端が露出している。他方、基材３１の図中上側では、絶縁層３５と絶縁層３６の間が離間しており、この離間部においてグランド層３４が露出している。
【００４５】
図５に図示するように、基材３１の下側で信号層３２が露出する位置と、基材３１の上側でグランド層３４が露出する位置は、互いにずれている。このように基材３１上において露出する位置をずらすことにより、平型ケーブル３０のどちらの面を上にして電気コネクタ１に挿入しても、信号層３２は常に、第１信号コンタクト１０及び第２信号コンタクト２０の両方と接触する。他方、グランド層３４は、電気コネクタ１において第１信号コンタクト１０よりも更に前方に設けられるグランド用バネ４３、４４を介してシールドシェル３と接続する。
【００４６】
図６、７を参照すると、信号層３２は複数の導線からなる。平型ケーブル３０の先端部において、信号層３２には、各導線に対応して、電気コネクタ１の接点が接触するための複数の接触部３７、３８が設けられている。これら接触部３７、３８は、平型ケーブル３０の先端側から見て、手前側と奥側の二列に並んで配置されている。
【００４７】
平型ケーブル３０の先端側から見て奥側、即ち、接続される電気コネクタ１にとっての前側には、２５箇所の第１信号層接触部３７が、平型ケーブル３０の幅方向に一列に並んで設けられている。平型ケーブル３０を電気コネクタ１に挿入し、アクチュエータ４を後に倒すと、第１信号層接触部３７は、接点１１ｕ、１１ｄのいずれかを介して、第１信号コンタクト１０と接触し、電気的な導通路が確立される。どちらの接点を介するかは、平型ケーブル３０を挿入するときの面の方向による。
【００４８】
また、平型ケーブル３０の先端側から見て手前側、即ち、接続される電気コネクタ１にとっての後側には、２６箇所の第２信号層接触部３８が、同じく平型ケーブル３０の幅方向に一列に並んで設けられている。平型ケーブル３０を電気コネクタ１に挿入し、アクチュエータ４を後方に倒すと、第２信号層接触部３８は、接点２１ｕ、２１ｄのいずれかを介して、第２信号コンタクト２０と接触し、電気的な導通路が確立される。どちらの接点を介するかは、平型ケーブル３０を挿入するときの面の方向による。
【００４９】
グランド層３４は、図８、９に示すように、平型ケーブル３０の先端から所定の長さの位置に帯状に露出している。グランド層３４が露出する位置は、その裏側にある第１信号層接触部３７よりも、更に先端から離れた位置である。グランド層３４の露出部は、電気コネクタ１の第１信号コンタクト１０よりも前方に設けられるグランド用バネ４３、４４と接触する。
【００５０】
次に、シールドシェル３について説明する。シールドシェル３は、一枚の金属板を所定の形に打ち抜いた後で折り曲げたものである。図１０、１１を参照すると、シールドシェル３はシェル端子部１６ａ、１６ｂ、１６ｃと、ホールドダウン１６ｄ、１６ｅ、１６ｆ、１６ｇと、カバー部４１ａ、４１ｂと、アクチュエータ端子用接触部４２ａ、４２ｂを備える。更に、シールドシェル３は、上述のグランド用バネとして、第１グランドバネ４３ａ、４３ｂと、第２グランドバネ４４ａ、４４ｂを備える。
【００５１】
図３、４に示すように、第１グランドバネ４３ａ、４３ｂは、シールドシェル３を構成する金属板の一部を図中上側に向かって折り曲げ、更に、その先端を図中下側に折り曲げた構造を有する。根元側の折り曲げにより、第１グランドバネ４３ａ、４３ｂは弾性力を発生する。この弾性力は、電気コネクタ１に平型ケーブル３０が挿入されたときに、第１グランドバネ４３ａ、４３ｂ自身を平型ケーブル３０、特に、露出したグランド層３４に押し付ける力として作用する。また、第１グランドバネ４３ａ、４３ｂの先端側を折り曲げることにより、第１グランドバネ４３ａ、４３ｂが押し付けられた状態であっても平型ケーブル３０を円滑に抜き差しすることができる。以下、互いに区別する必要がない場合、第１グランドバネ４３と記す。
【００５２】
第２グランドバネ４４ａ、４４ｂについても上下の方向が逆転するだけで第１グランドバネ４３ａ、４３ｂと同様である。以下、互いに区別する必要がない場合、第２グランドバネ４４と記す。図３、４に示すように、シールドシェル３の天板部分の前方を、電気コネクタ１の挿入部１１０の内側に向かって天板とほぼ平行になるまで折り曲げた金属板に切り込みを入れて、その金属板の一部を下方向に倒すように折り曲げた部分が第２グランドバネ４４となっている。この折り曲げがばねとして作用して、第２グランドバネ４４を平型ケーブル３０、特に、露出したグランド層３４に押し付ける力を発生する。第２グランドバネ４４の先端側も折り曲げられており、これにより第２グランドバネ４４が押し付けられた状態であっても平型ケーブル３０を円滑に抜き差しすることができる。
【００５３】
電気コネクタ１に平型ケーブル３０を装着すると、平型ケーブル３０を挿入する方向に応じて、第１グランドバネ４３、第２グランドバネ４４のいずれか一方が、露出したグランド層３４に接触する。図１の電気コネクタ１に図５の上下方向で平型ケーブル３０を装着した場合を考える。このとき、露出したグランド層３４と接触するのは第２グランドバネ４４である。第１グランドバネ４３は、グランド層３４の露出部の裏側に当たる絶縁層３３に接触する。逆に、図１の電気コネクタ１に、図５の平型ケーブル３０を上下逆になるように装着した場合には、第１グランドバネ４３が露出したグランド層３４に接触し、第２グランドバネ４４は絶縁層３３に接触する。
【００５４】
アクチュエータ４に内蔵されるシールド板１４について図１２を参照して説明する。同図では、シールド板１４の形状等について説明する都合上、アクチュエータ４を透明に描いている。同図に示すように、シールド板１４は、略L字型の断面を有するビーム状である。シールド板１４の両端は、アクチュエータ４から突出してアクチュエータ端子１５ａ、１５ｂとなっている。
【００５５】
図１３に示すように、アクチュエータ４を後ろに倒すことにより、アクチュエータ端子１５ａ、１５ｂがそれぞれアクチュエータ端子用接触部４２ａ、４２ｂと接触する。この接触により、シールド板１４は、アクチュエータ端子１５ａ、アクチュエータ端子用接触部４２ａ、接地端子１６のいずれか、例えば直近のホールドダウン１６ｇを介して、電気コネクタ１を実装した基板上の接地接続部（図示せず）に至る電気的な経路が確立される。アクチュエータ端子１５ｂ、アクチュエータ端子用接触部４２ｂ、ホールドダウン１６ｅの間でも同様である。一方、アクチュエータ４を起立させたときには、図１４に示すように、アクチュエータ端子１５は空中に突き出し、アクチュエータ端子用接触部４２と非接触の状態となる。
【００５６】
次に、第１信号コンタクト１０の端子部１３と基板上の配線パターン（図示せず）と、シールド板１４の位置関係について説明する。
【００５７】
まず、アクチュエータ４が起立状態にあるときの位置関係について説明する。このとき、端子部１３を起点とする仮想的な放射状に延びる直線群を考える。これらの放射線は、電気コネクタの信号コンタクトと、その電気コネクタを実装した基板上の配線パターンとの接続箇所から放射される電磁波を表す。図中では、端子部１３から真上に向かって進む電磁波の進行方向と、電気コネクタ１の斜め後方に向かって進む電磁波の進行方向を、それぞれ矢印つきの点線５１、５２で表している。
【００５８】
図１５、１６からわかるように、アクチュエータ４が起立状態にあるとき、点線５１、５２はシールド板１４に遮られることなく進む。しかし、アクチュエータ４が起立状態にあるとき、平型ケーブル３０は電気コネクタ１に装着されていない。また、仮に、平型ケーブル３０が電気コネクタ１の中に挿入された状態であるとしても、アクチュエータ４が起立している状態では、カム１２は第１信号コンタクト１０の接点１１ｕ、１１ｄを閉じるように作用していないので、接点１１ｕ、１１ｄはどちらも平型ケーブル３０の信号層３２に非接触の状態にある。従って、アクチュエータ４が起立状態にあるとき、端子部１３を起点とする電磁波は発生していない。
【００５９】
一方、電気コネクタ１に平型ケーブル３０を挿入し、かつ、アクチュエータ４を後方に倒して、電気コネクタ１に平型ケーブル３０を装着したとする。ここでは、信号層３２が図中上向きになり、グランド層３４が図中下向きになるような向きで平型ケーブル３０を挿入したときの状態について、図１７、１８を参照して説明する。
【００６０】
このとき、アクチュエータ４の回転に連動して、カム１２が回転し、第１信号コンタクト１０の接点１１ｕ、１１ｄはそれぞれ平型ケーブル３０を挟みこむ。これにより、第１信号コンタクト１０の接点１１ｕは平型ケーブル３０の信号層３２のうち、図７に示した第１信号層接触部３７のひとつに接触する。接点１１ｄはグランド層３４側の絶縁層３５に接触する。このようにして、平型ケーブル３０の信号線と、その信号線に対応する電気コネクタ１の信号コンタクトとが接触し、端子部１３を介した基板上の信号配線パターン（図示せず）との電気的経路が確立される。
【００６１】
また、第１グランドバネ４３、第２グランドバネ４４の弾性力により、これらグランド用バネは挿入された平型ケーブル３０の表面に押し付けられる。これにより、第１グランドバネ４３はグランド層３４に接触する。第２グランドバネ４４は信号層３２側の絶縁層３３に接触する。このようにして、平型ケーブル３０に設けられたグランド層３６は、第１グランドバネ４３、接地端子１６を介して、基板上に設けられた接地接続部（図示せず）に電気的に接続される。
【００６２】
更に、アクチュエータ４の回転に連動して、アクチュエータ端子１５がアクチュエータ端子用接触部４２と接触することにより、シールド板１４と基板上の接地パターン（図示せず）とを繋ぐ電気的経路が確立され、シールド板１４が電磁波を遮断するシールドとして作用するようになる。このとき、端子部１３から真上に向かって進む電磁波は、点線５１に示すようにシールド板１４に衝突する。同様に、端子部１３から斜め後方に向かって進む電磁波は、点線５２を見るとわかるように、シールド板１４に衝突する。このため、点線５１、５２の方向に進む電磁波はどちらもシールド板１４で遮断される。また、端子部１３部分に外部から進入する電磁波についても同様にシールド板１４で遮断される。
【００６３】
次に、アクチュエータ端子１５とアクチュエータ端子用接触部４２の接触について図１９、２０、２１を参照して説明する。アクチュエータ端子用接触部４２はシールドシェル３の一部であり、シールドシェル３を構成する金属板を、ハウジング２の端部に直立する側壁面６１を巻き込むように曲げて形成した形状として、凸部６２、くぼみ６３を有する。金属板の折り曲げにより形成されているため、アクチュエータ端子用接触部４２はバネとして作用する。
【００６４】
図１９−２０では、電気コネクタ１を後ろから見たときに左側となるハウジング２の側壁面６１ｂと、それに対応する凸部６２ｂ、くぼみ６３ｂだけが図示されているが、実際には、電気コネクタ１を後ろから見たときに右側となるようなハウジングの側壁面６１ａも存在し、更にこの側壁面に対応する凸部６２ａ、くぼみ６３ａも存在する。この部分の形状については図２２も参照されたい。
【００６５】
アクチュエータ４が起立しているとき、凸部６２ａと凸部６２ｂの間の長さと、くぼみ６３ａとくぼみ６３ｂの間の長さは、どちらも、アクチュエータ端子１５ａの先端からアクチュエータ端子１５ｂの先端までの長さよりも短い。しかし、上述のようにアクチュエータ端子用接触部４２はバネとして作用するので、アクチュエータ４を起立状態から倒していくと、図２０に示すようにアクチュエータ端子１５の先端がアクチュエータ端子用接触部４２を押し広げながら倒れていく。
【００６６】
アクチュエータ端子１５ａ、１５ｂの間の長さをＬとし、凸部６２ａ、６２ｂの間の長さをＬ１とし、くぼみ６３ａ、６３ｂの間の長さをＬ２とする。このとき、Ｌ１＜Ｌ２＜Ｌの関係が成り立つ。Ｌ１＜Ｌ２なので、アクチュエータ４を倒していく過程で、アクチュエータ端子１５が凸部６２を乗り越える際に押し広げられたアクチュエータ端子用接触部４２のバネは、アクチュエータ端子１５がくぼみ６３に至ったときに一部復元する。この復元により、アクチュエータ４を倒す者の指先にクリック感を与えることができる。
【００６７】
また、凸部６２ａ、６２ｂの間の長さＬ１がくぼみ６３ａ、６３ｂの間の長さＬ２よりも長いため、倒したアクチュエータ４を起立させる際にはある程度の力を要する。これにより、図２１に示すように、アクチュエータ端子用接触部４２は簡単なロック機構として作用し、アクチュエータ４が軽い力で偶発的に起立してしまうのを防止することができる。
【００６８】
アクチュエータ端子１５が凸部６２を乗り越え、くぼみ６３に至ったときにも、Ｌ２＜Ｌの関係によりくぼみ６３ａ、６３ｂの間はアクチュエータ端子１５により押し広げられた状態になっている。このため、図２１に示すように、アクチュエータ端子１５の先端とくぼみ６３との間の接触が維持される。
【００６９】
次に、アクチュエータ４のカム回転軸の保持について説明する。図３、４を参照して説明したようにアクチュエータ４はカム１２を備える。アクチュエータ４の両端には、カム１２と同心の円柱状であるカム回転軸６４ａ、６４ｂが突出している。カム回転軸６４ａ、６４ｂは、ハウジング２の側壁面６１ａ、６１ｂに設けられた軸受用の凹部により下から支持される。また、図２２（一方のカバー部４１ａ、カム回転軸６４ａを図示）に示すように、シールドシェル３に設けたカバー部４１ａ、４１ｂにより、カム回転軸６４ａ、６４ｂは上から支持される。カバー部４１ａ、４１ｂを設けることにより、アクチュエータ４がハウジング２から簡単に外れてしまうのを防ぐことができる。
【００７０】
次に、電気コネクタ１と平型ケーブル３０との間に確立される電気的な経路について説明する。図２３、２４、２５として断面の異なる３つの断面斜視図を示す。特に、図２３からは第１グランドバネ４３ｂ、第２グランドバネ４４ｂの位置関係や構造が容易に見て取れるであろう。これらの図を互いに比較すると、電気コネクタ１と平型ケーブル３０との間に電気的な経路を確立するための接点の位置を、電気コネクタ１の開口１００から奥に向かう方向に沿った距離で分類すると、３種類あることが分かるだろう。
【００７１】
図２３に記載の第１グランドバネ４３ｂ、第２グランドバネ４４ｂは最も開口寄りであり、図２５に記載の第２信号コンタクト２０の接点２１ｕ、２１ｄは最もコネクタの奥側であり、図２４に記載の第１信号コンタクト１０の接点１１ｕ、１１ｄは両者の間に位置している。
【００７２】
このような、電気コネクタ１における、奥行き方向で位置が異なる３種類の接点と、平型ケーブル３０のグランド層３４、第１信号層接触部３７、第２信号層接触部３８が対応する。電気コネクタ１に平型ケーブル３０を挿入し、アクチュエータ４を倒して接続すると、電気コネクタ１の挿入部１１０の最奥において、ひとつの第２信号コンタクト２０の接点２１ｕ、２１ｄのいずれか一方が、ひとつの第２信号層接触部３８に接触する。そこから開口１００寄りの位置において、ひとつの第１信号コンタクト１０の接点１１ｕ、１１ｄのいずれか一方が、ひとつの第１信号層接触部３７に接触する。更に開口１００寄りの位置において、第１グランドバネ４３及び第２グランドバネ４４のいずれか一方が、グランド層３４の露出部に接触する。
【００７３】
電気コネクタ１に平型ケーブル３０を挿入する際の面の向きと、装着したときの第１グランドバネ４３／第２グランドバネ４４、第１信号コンタクト１０、第２信号コンタクト２０の接触位置について更に説明する。
【００７４】
まず、グランド層３４側を上向きとし、信号層３２側を下向きとした平型ケーブル３０を電気コネクタ１に装着した状態について説明する。
【００７５】
このとき、図２６に示すように、第２グランドバネ４４はグランド層３４に接触し、第１グランドバネ４３は絶縁層３３に接触する。このため、平型ケーブル３０のグランド層３４は、第２グランドバネ４４にてシールドシェル３と接触し、更に、シールドシェル３の接地端子１６を介して基板上の接地接続部（図示せず）に接続されて、電気的な経路が確立される。尚、信号層３２の露出部は、第１グランドバネ４３、第２グランドバネ４４のどちらとも接触していない。これは、図５にて説明したように、平型ケーブル３０の端部から信号層３２とグランド層３４が露出する位置までの距離がそれぞれ異なることによる。
【００７６】
第１信号コンタクト１０については、図２７に示すように、接点１１ｄが信号層３２の露出部に接触し、接点１１ｕは絶縁層３５に接触する。同様に、第２信号コンタクト２０については、図２８に示すように、接点２１ｄが信号層３２の露出部に接触し、接点２１ｕは絶縁層３５に接触する。
【００７７】
次に、平型ケーブル３０の表裏を逆にして、信号層３２側を上向きとし、グランド層３４側を下向きとした平型ケーブル３０を電気コネクタ１に装着した状態について説明する。
【００７８】
このとき、図２９に示すように、第１グランドバネ４３ｂはグランド層３４の露出部に接触し、第２グランドバネ４４ｂは絶縁層３３と接触する。このため、平型ケーブル３０のグランド層３４は、第１グランドバネ４３にてシールドシェル３と接触し、更に、シールドシェル３の接地端子１６を介して基板上の接地接続部（図示せず）に接続されて、電気的な経路が確立される。信号層３２の露出部は、第１グランドバネ４３、第２グランドバネ４４のどちらとも接触していない。これは、図５にて説明したように、平型ケーブル３０の端部から信号層３２とグランド層３４が露出する位置までの距離がそれぞれ異なることによる。
【００７９】
第１信号コンタクト１０については、図３０に示すように、接点１１ｕが信号層３２の露出部に接触し、接点１１ｄは絶縁層３５に接触する。同様に、第２信号コンタクト２０については、図３１に示すように、接点２１ｕが信号層３２の露出部に接触し、接点２１ｄは絶縁層３５に接触する。
【００８０】
このように、信号層３２、グランド層３４のどちらを上側にして平型ケーブル３０を装着したとしても、信号層３２、グランド層３４は、それぞれ電気コネクタ１の信号用の接点、グランド用の接点と接触するように構成されている。
【００８１】
電気コネクタ１では、グランド層３４との接点を手前側に設け、信号層３２との接点を奥側に設けるというように、平型ケーブルのグランド線との接点と、信号線との接点とを、電気コネクタ１の奥行き方向、或いは、平型ケーブル３０の挿入方向に沿って異なる位置に配置している。このため、グランド線との接点と信号線との接点を電気コネクタの幅方向に一列に並べる場合と比較して、電気コネクタの幅を狭くすることができる。
【００８２】
以上、本発明を実施の形態に即して説明したが、本発明はこれに限定されるものではない。例えば、平型ケーブル３０は２５箇所の第１接触部３７と、２６箇所の第２接触部３８を備えることとして説明したが、これら接触部の数は単なる例示である。
【符号の説明】
【００８３】
１  電気コネクタ
２  ハウジング
３  シールドシェル
４  アクチュエータ
１０  第１信号コンタクト（信号コンタクト）
１１ｕ、１１ｄ、２１ｕ、２１ｄ  接点
１２  カム
１３、２３  端子部
１４  シールド板（導体部材）
１５、１５ａ、１５ｂ  アクチュエータ端子
１６  接地端子
１６ａ、１６ｂ、１６ｃ  シェル端子部（接地端子）
１６ｄ、１６ｅ、１６ｆ、１６ｇ  ホールドダウン（接地端子）
１７  凸部
２０  第２信号コンタクト（信号コンタクト）
３０  平型ケーブル（接続対象物）
３１  基材（基体層）
３２  信号層
３３、３５、３６  絶縁層
３４  グランド層（シールド層）
３７  第１信号層接触部（接触部）
３８  第２信号層接触部（接触部）
４１ａ、４１ｂ  カバー部
４２、４２ａ、４２ｂ  アクチュエータ端子用接触部
４３、４３ａ、４３ｂ  第１グランドバネ（グランド用バネ）
４４、４４ａ、４４ｂ  第２グランドバネ（グランド用バネ）
５１、５２  点線（電磁波の進行方向）
６１ａ、６１ｂ  側壁面
６２、６２ａ、６２ｂ  凸部
６３、６３ａ、６３ｂ  くぼみ
６４ａ  カム回転軸
１００  開口
１１０  挿入部
【図１】
2014225412.tif 000003
【図２】
2014225412.tif 000004
【図３】
2014225412.tif 000005
【図４】
2014225412.tif 000006
【図５】
2014225412.tif 000007
【図６】
2014225412.tif 000008
【図７】
2014225412.tif 000009
【図８】
2014225412.tif 000010
【図９】
2014225412.tif 000011
【図１０】
2014225412.tif 000012
【図１１】
2014225412.tif 000013
【図１２】
2014225412.tif 000014
【図１３】
2014225412.tif 000015
【図１４】
2014225412.tif 000016
【図１５】
2014225412.tif 000017
【図１６】
2014225412.tif 000018
【図１７】
2014225412.tif 000019
【図１８】
2014225412.tif 000020
【図１９】
2014225412.tif 000021
【図２０】
2014225412.tif 000022
【図２１】
2014225412.tif 000023
【図２２】
2014225412.tif 000024
【図２３】
2014225412.tif 000025
【図２４】
2014225412.tif 000026
【図２５】
2014225412.tif 000027
【図２６】
2014225412.tif 000028
【図２７】
2014225412.tif 000029
【図２８】
2014225412.tif 000030
【図２９】
2014225412.tif 000031
【図３０】
2014225412.tif 000032
【図３１】
2014225412.tif 000033
【図３２】
2014225412.tif 000034